(57)【要約】【課題】製版中において最後の１版を製版した後に残った未製版の孔版原紙の残量を迅速且つ自動的に排版する。【解決手段】帯状の孔版原紙１１が円環状ロール１２に巻回され且つ孔版原紙１１の終了近傍を示すエンドマーク１１ｅｍが予め所定位置に付与されたものを用い、製版ユニット１０内で円環状ロール１２から引き出した孔版原紙１１上に画像情報に基いてサーマルヘッド２６を用いて感熱穿孔により製版画像を製版する際に、制御部８０は、製版ユニット１０内に設けたエンドマーク検出用センサ２２でエンドマーク１１ｅｍを検出してもそのまま製版を続行して最後の１版を製版すると共に、製版中において最後の１版を製版した後に残った未製版の孔版原紙１１の残量を版胴６３の外周面に取り付けたクランプ板６４にクランプさせずに自動的に排版ボックス７１内に排版させている。【選択図】図５
2012116106.tif 000002
【特許請求の範囲】
【請求項１】
帯状の孔版原紙が円環状ロールに巻回され且つ前記孔版原紙の終了近傍を示すエンドマークが予め所定位置に付与されたものを用い、前記円環状ロールから引き出した前記孔版原紙上に画像情報に基いてサーマルヘッドを用いて感熱穿孔により製版画像を製版した後に、カッター部材により１版分の製版画像を切断して製版する製版ユニットと、
前記製版ユニットで製版された前記１版分の孔版原紙を回転自在な版胴の外周面に取り付けたクランプ板にクランプした後に該外周面に巻き付け、且つ、前記版胴に対して接離自在なプレスローラで製版済みの前記孔版原紙と印刷用紙とを重ね合わせて押圧しながら前記製版画像に基いて印刷用紙上にインク画像を印刷する印刷ユニットと、
不要となった前記孔版原紙を排版する排版ボックスを設けた排版ユニットと、
前記製版ユニット内に設けたエンドマーク検出用センサで前記エンドマークを検出してもそのまま製版を続行して最後の１版を製版するように前記製版ユニットを制御すると共に、製版中において最後の１版を製版した後に残った未製版の前記孔版原紙の残量を前記クランプ板にクランプさせずに自動的に前記排版ボックス内に排版させるように前記排版ユニットを制御する制御部とを設けたことを特徴とする孔版印刷装置。
【請求項２】
前記孔版原紙の搬送路を、前記版胴の外周面に前記孔版原紙を巻き付けるために該版胴側に向かう第１の搬送路と、前記排版ボックス内に前記孔版原紙を排版するために該排版ボックス側に向かう第２の搬送路とに選択的に切替える孔版原紙搬送路切替え機構を備えたことを特徴とする請求項１記載の孔版印刷装置。
【発明の詳細な説明】
【技術分野】
【０００１】
本発明は、製版ユニット内で孔版原紙上に製版画像を製版する際、帯状の孔版原紙を終了間際の後端部近傍まで有効に利用でき、且つ、製版中において最後の１版を製版した後に残った未製版の孔版原紙の残量を自動的且つ迅速に排版できるように構成した孔版印刷装置に関するものである。
【背景技術】
【０００２】
画像情報や文字情報などを印刷用紙上に印刷する印刷装置は種々あるが、印刷用紙上に同一の画像情報や文字情報などを多量に印刷する場合に孔版印刷装置が用いられている。
【０００３】
この種の孔版印刷装置では、帯状の孔版原紙を円環状ロールから引き出してこの孔版原紙に画像情報に基いてサーマルヘッドを用いて感熱穿孔により製版画像を製版した後に、カッター部材により１版分の製版画像を切断して製版する製版ユニットと、製版ユニットで製版された１版分の孔版原紙を回転自在な版胴の外周面に取り付けたクランプ板にクランプした後に外周面に巻き付けて、孔版原紙上の製版画像に基いて印刷用紙上にインク画像を印刷する印刷ユニットと、装置全体を制御する制御部とを少なくとも備えて構成されている。
【０００４】
この際、帯状の孔版原紙は、円環状ロールに巻き付けた後端部側で残りの１版分の直前の部位にエンドマークを予め付与しておき、エンドマークを検出したら製版途中の孔版原紙の製版を中断して、版胴の外周面にクランプ板を介して巻き付けられた製版途中の孔版原紙を破棄すると共に、製版を途中で中断した画像情報を再び用いてエンドマークの後に予め用意した１版分の孔版原紙により最後の１版を製版するように構成された画像形成装置及び孔版印刷装置がある（例えば、特許文献１参照）。
【先行技術文献】
【特許文献】
【０００５】
【特許文献１】特開２０１０−１４９３３０号公報
【発明の概要】
【発明が解決しようとする課題】
【０００６】
ところで、上記した特許文献１に開示された画像形成装置及び孔版印刷装置によれば、前述したように、孔版原紙（公報ではマスターと呼称）上に付与されたエンドマークを検出したら製版途中の孔版原紙の製版を中断して、版胴の外周面にクランプ板を介して巻き付けられた製版途中の孔版原紙を破棄しなければならないので、装置のスループットが低下してしまう。
【０００７】
また、版胴の外周面にクランプ板を介して巻き付けられた製版途中の孔版原紙を破棄する際に、孔版原紙の長さが装置構成によって定まる或る所定長さ以上であれば自動排版できるが、自動排版可能な長さに満たなかった場合にはインク汚れを発生させないために手動排版しなければならない。
【０００８】
この際、版胴の外周面にクランプ板を介して巻き付けられた製版途中の孔版原紙を手動排版する場合には、版胴の外周面に取り付けたクランプ板を開いたリ、プレスローラを版胴から離間させるなどの作業が必要となり、排版作業に時間がかかってしまうなどの問題が生じる。
【０００９】
更に、孔版原紙上に付与されたエンドマークの後に予め用意した１版分の孔版原紙により最後の１版を製版した場合に、未製版のまま不要となった孔版原紙の残量は自動排版ができずに手動で排版しなければならないので、排版作業が低下するなどの問題もある。
【００１０】
そこで、帯状の孔版原紙が円環状ロールに巻回され且つ孔版原紙の終了近傍を示すエンドマークが予め所定位置に付与されたものを用い、孔版原紙上に製版画像を製版する際、エンドマークを検出してもそのまま製版を続行して最後の１版を製版することで、帯状の孔版原紙を終了間際の後端部近傍まで有効に利用でき、且つ、製版中において最後の１版を製版した後に残った未製版の孔版原紙の残量を胴版の外周面に取り付けたクランプ板にクランプさせずに自動的且つ迅速に排版できるように構成した孔版印刷装置を提供することを目的とする。
【課題を解決するための手段】
【００１１】
本発明は上記課題に鑑みてなされたものであり、請求項１記載の発明は、帯状の孔版原紙が円環状ロールに巻回され且つ前記孔版原紙の終了近傍を示すエンドマークが予め所定位置に付与されたものを用い、前記円環状ロールから引き出した前記孔版原紙上に画像情報に基いてサーマルヘッドを用いて感熱穿孔により製版画像を製版した後に、カッター部材により１版分の製版画像を切断して製版する製版ユニットと、
前記製版ユニットで製版された前記１版分の孔版原紙を回転自在な版胴の外周面に取り付けたクランプ板にクランプした後に該外周面に巻き付け、且つ、前記版胴に対して接離自在なプレスローラで製版済みの前記孔版原紙と印刷用紙とを重ね合わせて押圧しながら前記製版画像に基いて印刷用紙上にインク画像を印刷する印刷ユニットと、
不要となった前記孔版原紙を排版する排版ボックスを設けた排版ユニットと、
前記製版ユニット内に設けたエンドマーク検出用センサで前記エンドマークを検出してもそのまま製版を続行して最後の１版を製版するように前記製版ユニットを制御すると共に、製版中において最後の１版を製版した後に残った未製版の前記孔版原紙の残量を前記クランプ板にクランプさせずに自動的に前記排版ボックス内に排版させるように前記排版ユニットを制御する制御部とを設けたことを特徴とする孔版印刷装置である。
【００１２】
また、請求項２記載の発明は、前記孔版原紙の搬送路を、前記版胴の外周面に前記孔版原紙を巻き付けるために該版胴側に向かう第１の搬送路と、前記排版ボックス内に前記孔版原紙を排版するために該排版ボックス側に向かう第２の搬送路とに選択的に切替える孔版原紙搬送路切替え機構を備えたことを特徴とする請求項１記載の孔版印刷装置である。
【発明の効果】
【００１３】
請求項１記載の孔版印刷装置によれば、帯状の孔版原紙が円環状ロールに巻回され且つ孔版原紙の終了近傍を示すエンドマークが予め所定位置に付与されたものを用い、製版ユニット内で円環状ロールから引き出した孔版原紙上に画像情報に基いてサーマルヘッドを用いて感熱穿孔により製版画像を製版する際に、制御部は、製版ユニット内に設けたエンドマーク検出用センサでエンドマークを検出してもそのまま製版を続行して最後の１版を製版すると共に、製版中において最後の１版を製版した後に残った未製版の孔版原紙の残量を胴版の外周面に取り付けたクランプ板にクランプさせずに自動的に排版ボックス内に排版させているので、帯状の孔版原紙を終了間際の後端部近傍まで有効に利用でき、且つ、孔版原紙上に付与されたエンドマークを検出したときに製版途中の孔版原紙の製版を中断する必要がないので、孔版印刷装置のスループットを向上させることができる。
【００１４】
また、孔版原紙上に付与されたエンドマークを検出したときに、製版中において最後の１版を製版した後に残った未製版の孔版原紙の残量を手動で排版することなく、未製版のまま不要となった孔版原紙の残量を自動的且つ迅速に排版できるので、手間がかからず使用勝手の良い孔版印刷装置を提供することができる。
【００１５】
また、請求項２記載の孔版印刷装置によれば、孔版原紙の搬送路を、版胴の外周面に孔版原紙を巻き付けるために版胴側に向かう第１の搬送路と、排版ボックス内に孔版原紙を排版するために排版ボックス側に向かう第２の搬送路とに選択的に切替える孔版原紙搬送路切替え機構を備えているので、孔版原紙搬送路切替え機構を第１の搬送路側に切替えれば孔版原紙を版胴に搬送できる一方、孔版原紙搬送路切替え機構を第２の搬送路側に切替えれば製版中において最後の１版を製版した後に残った未製版の孔版原紙の残量を排版ボックス内に自動的に排版することができる。
【図面の簡単な説明】
【００１６】
【図１】本発明に係る孔版印刷装置の全体構成を示した構成図であり、且つ、孔版原紙を製版している状態を示した図である。
【図２】円環状ロールに巻回された孔版原紙を説明するための図であり、（ａ）は製版前の状態を示し、（ｂ）は最後の１版を製版した状態を示した図である。
【図３】（ａ），（ｂ）は図１に示した一例の孔版原紙搬送路切替え機構，他例の孔版原紙搬送路切替え機構を模式的に拡大して示した図である。
【図４】図１に示した制御部を拡大して示した図である。
【図５】本発明に係る孔版印刷装置の製版中において、最後の１版を製版した後に残った未製版の孔版原紙の残量を排版している状態を示した図である。
【図６】本発明に係る孔版印刷装置の製版中において、最後の１版を製版した後に残った未製版の孔版原紙の残量を排版する動作を説明するためのフロー図である。
【発明を実施するための形態】
【００１７】
以下に本発明に係る孔版印刷装置の一実施例について、図１〜図６を参照して詳細に説明する。
【実施例】
【００１８】
図１に示した如く、本発明に係る実施例の孔版印刷装置１は、帯状の孔版原紙１１が円環状ロール１２に巻回され且つ孔版原紙１１の終了近傍を示すエンドマーク１１ｅｍ（図２）が予め所定位置に付与されたものを用い、円環状ロール１２から引き出した孔版原紙１１上に画像情報に基いてサーマルヘッド２６を用いて感熱穿孔により製版画像を製版した後に、上下一対のカッター部材２８により１版分の製版画像を切断して製版する製版ユニット１０と、製版ユニット１０で製版された１版分の孔版原紙１１を回転自在な版胴６３の外周面６３ａに開閉自在に取り付けたクランプ板６４にクランプした後に外周面６３ａに巻き付け、且つ、版胴６３に対して接離自在なプレスローラ６８で製版済みの孔版原紙１１と印刷用紙Ｐとを重ね合わせて押圧しながら孔版原紙１１上の製版画像に基いて印刷用紙Ｐ上にインク画像を印刷する印刷ユニット６０と、孔版原紙１１上に付与されたエンドマーク１１ｅｍ（図２）を製版ユニット１０内に設けたエンドマーク検出用センサ２２で検出した後に未製版のまま不要となった孔版原紙１１の残量を排版すると共に、版胴６３に巻き付けられて印刷終了後に不要となった製版済みの孔版原紙１１を排版する排版ボックス７１を設けた排版ユニット７０と、孔版原紙１１の搬送路を印刷ユニット６０内に設けた版胴６３の外周面６３ａに孔版原紙１１を巻き付けるために版胴６３側に向かう第１の搬送路と、排版ユニット７０内に設けた排版ボックス７１内に孔版原紙１１を排版するために排版ボックス７１側に向かう第２の搬送路とに選択的に切替える孔版原紙搬送路切替え機構５０（又は５７）と、装置全体を制御する制御部８０とを少なくとも備えて構成されている。
【００１９】
具体的に説明すると、まず、上記した製版ユニット１０は、孔版印刷装置１内の上流側に設置されている。
【００２０】
この製版ユニット１０では、感熱フィルムの一種である孔版原紙（マスター）１１が不図示のベースフィルム上に多孔性支持体を貼り合わせて帯状に形成されており、且つ、この孔版原紙１１は円環状ロール１２に巻回されている。
【００２１】
この際、図２（ａ）に拡大して示した如く、円環状ロール１２に巻回された帯状の孔版原紙１１は、搬送方向側の前端部１１ａが引き出し可能な自由端となっていると共に、前端部１１ａと反対側で円環状ロール１２の近傍の後端部１１ｂは後述するように未製版のまま不要となった孔版原紙１１の残量を自動的に排版できるように円環状ロール１２に固着させずに単に巻き付けられている。
【００２２】
また、円環状ロール１２の近傍で孔版原紙１１の後端部１１ｂ側には、この孔版原紙１１の終了近傍を示すエンドマーク１１ｅｍが予め所定位置に付与されていると共、このエンドマーク１１ｅｍよりも後方で後端部１１ｂとの間には、エンドマーク１１ｅｍを検出しても製版中の製版を続行して最後の１版を完全に製版できるように、印刷用紙Ｐ（図１）の長さと対応して１版分の製版長さ以下と、円環状ロール１２からサーマルヘッド２６までの搬送路に沿った長さとを含めた長さが設定されている。
【００２３】
従って、エンドマーク１１ｅｍよりも後方では、新たに最後の１版を完全に製版できない長さに設定されており、例えばＡ３サイズ（幅２９７ｍｍ×長さ４２０ｍｍ）の印刷用紙Ｐに対応してエンドマーク１１ｅｍと後端部１１ｂとの間の長さが略６００ｍｍ程度に設定されている。
【００２４】
また、図１に戻り、孔版原紙１１を巻回した円環状ロール１２の両端部は、マスターホルダー１５内の前後に設けた一対の軸１６（片側のみ図示）に回転可能に支持されていると共に、この円環状ロール１２が一対の軸１６に対して着脱可能になっている。
【００２５】
また、円環状ロール１２の一方の端部には、孔版原紙１１に関する情報を非接触で書き込むと共に、書き込んだ情報を非接触で読み出すための孔版原紙用ＩＣタグ１３が取り付けられている。この際、孔版印刷装置１内に設けた不図示のＲＦ（Radio Frequency）ループアンテナを介して非接触で記録再生される孔版原紙１１に関する情報としては、この孔版原紙１１が使用される孔版印刷装置１の機種名とか、印刷用紙Ｐと対応するサイズとか、製版可能な枚数の他に、後述する孔版原紙１１の残量排版動作時に書き込まれて円環状ロール１２そのものの使用を禁止する使用禁止情報などである。
【００２６】
また、円環状ロール１２は、少なくとも一方の端部側にフランジ部１２ａが孔版原紙１１の最大巻回径よりも大径に形成されており、このフランジ部１２ａの外周にマスターホルダー１５内に設けた電磁クラッチ１７が接離し、且つ、電磁クラッチ１７にロータリーオイルダンパー１８が接している。
【００２７】
そして、制御部８０の指令によりスイッチ１９をオンして電磁クラッチ１７を通電させ、円環状ロール１２のフランジ部１２ａの外周に電磁クラッチ１７を接触させたときに、ロータリーオイルダンパー１８による粘性抵抗が電磁クラッチ１７を介してフランジ部１２ａに加わるので、円環状ロール１２を介して孔版原紙１１にバックテンションを付加することができるようになっている。
【００２８】
また、円環状ロール１２より下流には、孔版原紙１１の搬送方向を円環状ロール１２側からプラテンローラ２５側に向くように案内するガイドシャフト２１と、孔版原紙１１上に付与されたエンドマーク１１ｅｍ（図２）を検出する光透過型又は光反射型のエンドマーク検出用センサ（以下、第１フォトセンサと記す）２２と、抱き込みローラ２３と、プラテン用パルスモータ２４によって図示反時計方向に所定の速度で回転駆動されるプラテンローラ２５と、複数の発熱体２６ａが紙面垂直方向に一列に配列されてプラテンローラ２５側に対して接離自在であり且つプラテンローラ２５に添接中の孔版原紙１１に圧接したときに画像情報に基いて感熱穿孔により製版画像を製版するサーマルヘッド２６と、孔版原紙１１の前端部１１ａを手動で挿入して孔版原紙１１を製版ユニット１０内にセットするセット部材２７と、サーマルヘッド２６により製版された孔版原紙１１を印刷ユニット６０内に設けた円筒状の版胴６３の円周長以下に設定された１版分の長さで切断する上下一対のカッター部材２８と、プラテン用パルスモータ２４を共用して回転駆動される上下一対の第１搬送ローラ対２９と、孔版原紙１１への感熱穿孔開始を検出し且つ孔版原紙１１の１版分の切断確認を行うために孔版原紙１１の搬送状態を検出する光透過型又は光反射型の第２フォトセンサ３０と、製版された孔版原紙１１を一時的に溜める孔版原紙溜め箱３１と、上下一対の第２搬送ローラ対３２と、上下一対の第３搬送ローラ対３３と、製版済みの孔版原紙１１の搬送路を印刷ユニット６０側に向かう第１の搬送路と排版ユニット７０側に向かう第２の搬送路とに選択的に切替える孔版原紙搬送路切替え機構５０（又は５７）によって回動可能に設けられたフリッパー３４とが印刷ユニット６０側に向かって上記順に設けられている。
【００２９】
この際、サーマルヘッド２６は、軸４１を中心にして捩じりバネ４２により閉じ方向に付勢されたヘッドカバー４３内に不図示のソレノイド及びバネなどを用いたサーマルヘッド押圧機構４４を介してプラテンローラ２５側に対して接離自在になっている。
【００３０】
また、孔版原紙溜め箱３１よりも下流に設けた第２，第３搬送ローラ対３２，３３は不図示のモータにより回転駆動されている。
【００３１】
更に、フリッパー３４は、図３（ａ）に拡大して示した一例の孔版原紙搬送路切替え機構５０、又は、図３（ｂ）に拡大して示した他例の孔版原紙搬送路切替え機構５７のいずれかにより、印刷ユニット６０側に向かう第１の搬送路と排版ユニット７０側に向かう第２の搬送路との間で所定の角度αに亘って回動自在に設けられている。
【００３２】
即ち、図３（ａ）に示した一例の孔版原紙搬送路切替え機構５０では、軸５１を中心にして回動自在なアーム５２の一端側にフリッパー３４がピン５３を介して支持されており、且つ、アーム５２の他端側にソレノイド５４がピン５５を介して連結されていると共に、アーム５２の他端側に引張バネ５６がかけられているので、制御部８０の指令によりソレノイド５４を通電したときにフリッパー３４は引張バネ５６の付勢力に抗して二点鎖線で示したように印刷ユニット６０側に回動し、一方、ソレノイド５４を非通電としたときにフリッパー３４は引張バネ５６の付勢力により実線で示したように排版ユニット７０側に回動するようになっている。尚、３５はフリッパー３４の回動位置を規制するためのストッパーである。
【００３３】
また、図３（ｂ）に示した他例の孔版原紙搬送路切替え機構５７では、フリッパー３４がロータリーソレノイド５８の軸５８ａに固着されているので、制御部８０の指令によりロータリーソレノイド５８をオン／オフ制御すれば、フリッパー３４が二点鎖線で示した印刷ユニット６０側と実線で示した排版ユニット７０側とに選択的に回動できるようになっている。尚、３５はフリッパー３４の回動位置を規制するためのストッパーである。
【００３４】
再び図１に戻り、前記した印刷ユニット６０は、製版ユニット１０の下流側に設置されている。
【００３５】
この印刷ユニット６０では、版胴用パルスモータ６１によって軸６２を中心にして円筒状の版胴（印刷ドラム）６３が図示反時計方向に所定の速度で回転駆動されるようになっており、且つ、この版胴６３の外周面６３ａに製版済みの孔版原紙１１をクランプするためのクランプ板６４が開閉自在に取り付けられている。この際、クランプ板６４は、版胴６３が回転を停止している初期時に、版胴６３の上方位置に至っており、且つ、孔版原紙搬送路切替え機構５０（又は５７）により印刷ユニット６０側に回動したフリッパー３４と対向して開いた状態で待機している。
【００３６】
そして、製版ユニット１０で製版された孔版原紙１１を版胴６３に取り付けたクランプ板６４でクランプして、製版済みの孔版原紙１１の１版分を版胴６３の外周面６３ａに沿って巻き付けることで着版されている。
【００３７】
また、版胴６３内で軸６２の下方には、ドクターローラ６５とインクローラ６６とが互に添接しながら回転自在に設けられていると共に、ドクターローラ６５とインクローラ６６との間に軸６２から供給されたインク６７が溜まり、このインク６７はドクターローラ６５とインクローラ６６との隙間を通過してインクローラ６６の外周面から版胴６３の外周面６３ａに着版された製版済みの孔版原紙１１に供給されるようになっている。
【００３８】
また、版胴６３の外側下方位置でインクローラ６６と対向してプレスローラ６８が不図示のソレノイド及びバネなどを用いたプレスローラ押圧機構６９により接離自在に設けられており、このプレスローラ６８は製版済みの孔版原紙１１をクランプしたクランプ板６４が通過した後に版胴６３の外周面６３ａに着版された孔版原紙１１に不図示の給紙ユニットから送られた印刷用紙Ｐを重ね合わせて所定の圧力で押圧することで、版胴６３の外周面６３ａに着版された孔版原紙１１を通過したインク６７により印刷用紙Ｐ上にインク画像を印刷できるようになっている。
【００３９】
次に、前記した排版ユニット７０は、製版ユニット１０の下流側で且つ印刷ユニット６０の上方に設置されている。
【００４０】
この排版ユニット７０では、箱状に形成した排版ボックス７１の入口７１ａの近傍に合計３個の排版用ローラ７２が左右と上下に接しながら回転可能に設けられており、後述する排版動作時に、孔版原紙搬送路切替え機構５０（又は５７）により排版ユニット７０側に回動したフリッパー３４に案内されて、製版中において最後の１版を製版した後に残った未製版のまま不要となった孔版原紙１１の残量が３個の排版用ローラ７２で搬送されながら排版ボックス７１内に収納されることで排版できるようになっている。
【００４１】
また、排版ボックス７１内には、軸７３を中心にして孔版原紙圧縮用レバー７４が不図示のパルスモータを用いて図示時計方向に回動自在に設けられており、この孔版原紙圧縮用レバー７４により排版ボックス７１内に収納された孔版原紙１１を圧縮できるようになっている。
【００４２】
この際、実施例では排版ユニット７０が製版ユニット１０の下流側に固定設置されているので、印刷ユニット６０内で版胴６３に巻き付けられて印刷終了後に不要となった製版済みの孔版原紙１１を不図示の搬送ガイドを介して排版ボックス７１内に排版させることができるようになっているが、これに限ることなく、排版ユニット７０を版胴６３の外周面６３ａに沿って移動可能に設け、製版中において最後の１版を製版した後に残った未製版のまま不要となった孔版原紙１１の残量を排版するために版胴６３の上方位置と、版胴６３に巻き付けられて印刷終了後に不要となった製版済みの孔版原紙１１を排版するために版胴６３の中間位置との間を移動させるようにしても良い。
【００４３】
また、製版ユニット１０を印刷ドラム６３の方向に移動可能に設け、未製版のまま不要となった孔版原紙１１の残量を排版する位置と、製版済みの孔版原紙１１をクランプ板６４に受け渡す位置とに移動させるようにしても良い。
【００４４】
次に、前記した制御部８０は、孔版印刷装置１内の適宜な箇所に設置されている。
【００４５】
この制御部８０は、図４に拡大して示した如く、この内部に全体制御を行なうＣＰＵ８１と、孔版印刷装置１の動作プログラムを予め記憶したＲＯＭ（Read Only Memory）８２と、各種の更新データを記憶するＲＡＭ（Random Access Memory）８３とを有している。
【００４６】
この際、制御部８０内のＣＰＵ８１は、不図示の操作パネルからの各種信号、孔版印刷装置１内に設けた各種のセンサからの検知信号、ＲＯＭ８２から呼び出された動作プログラムなどに基いて孔版印刷装置１内の全体動作を制御しているが、ここでは製版ユニット１０及び印刷ユニット６０並びに排版ユニット７０に関する制御についてのみ説明する。
【００４７】
ここで、制御部８０について具体的に説明すると、制御部８０内のＣＰＵ８１は、製版ユニット１０に対して、孔版原紙１１に関する情報を非接触で書き込むと共に読み出すための孔版原紙用ＩＣタグ１３と、ロータリーオイルダンパー１８により孔版原紙１１にバックテンションを付加するための電磁クラッチ１７及びスイッチ１９と、孔版原紙１１に付加したエンドマーク１１ｅｍを検出するための第１フォトセンサ２２と、プラテンローラ２５を所定の速度で回転駆動させ且つ上下一対の第１搬送ローラ対２９を回転駆動させるためのプラテン用パルスモータ２４と、孔版原紙１１上に製版画像を感熱穿孔させるためのサーマルヘッド２６と、サーマルヘッド２６をプラテンローラ２５側に押圧するためのサーマルヘッド押圧機構４４と、製版済みの孔版原紙１１を１版分切断するための上下一対のカッター部材２８と、孔版原紙１１の搬送状態を検出するための第２フォトセンサ３０と、製版済みの孔版原紙１１の搬送路を印刷ユニット６０側に向かう第１の搬送路と排版ユニット７０側に向かう第２の搬送路とに選択的に切替えるようにフリッパー３４を回動させるための孔版原紙搬送路切替え機構５０（又は５７）とを制御している。
【００４８】
また、ＣＰＵ８１は、印刷ユニット６０に対して、版胴６３を所定の速度で回転駆動させるための版胴用パルスモータ６１と、プレスローラ６８を版胴６３側に押圧するためのプレスローラ押圧機構６９とを制御していると共に、製版済みの孔版原紙１１にインク６７を供給している。
【００４９】
また、ＣＰＵ８１は、排版ユニット７０に対して、不要な孔版原紙１１を排版ボックス７１内に搬送するための排版用ローラ７２と、排版ボックス７１内に収納された孔版原紙１１を圧縮するための孔版原紙圧縮用レバー７４とを制御していると共に、排版ボックス７１内で圧縮された孔版原紙１１の満タンを検出している。
【００５０】
ここで、上記構成による本発明に係る孔版印刷装置１の製版動作及び印刷動作について図１を用いて説明する。
【００５１】
まず、ユーザーは、ヘッドカバー４３を開いて、スイッチ１９をオンして電磁クラッチ１７を介してロータリーオイルダンパー１８により円環状ロール１２に巻回させた孔版原紙１１にバックテンションを付加し、孔版原紙１１を手動で引き出しながらガイドシャフト２１，第１フォトセンサ２２，抱き込みローラ２３，プラテンローラ２５とサーマルヘッド２６との間を順に通過させてこの孔版原紙１１の前端部１１ａをセット部材２７内に挿入してセットした後にヘッドカバー４３を閉じる。
【００５２】
この後、プラテン用パルスモータ２４によりプラテンローラ２５を図示反時計方向に回転駆動させると共に、ヘッドカバー４３内に取り付けたサーマルヘッド押圧機構４４を介してサーマルヘッド２６をプラテンローラ２５に添接中の孔版原紙１１に押圧し、この孔版原紙１１がプラテンローラ２５とサーマルヘッド２６との間で挟持搬送されながら上下一対の第１搬送ローラ対２９側に搬送されて、孔版原紙１１の前端部１１ａが第２フォトセンサ３０で検出されたときにサーマルヘッド２６で孔版原紙１１上に画像情報に基いて感熱穿孔を開始するが、このときに製版中の孔版原紙１１はロータリーオイルダンパー１８によりバックテンションをかけられているので製版シワが発生しない。
【００５３】
更に、感熱穿孔により製版された孔版原紙１１は、孔版原紙溜め箱３１内に一時的に溜められた後に、上下一対の第２搬送ローラ対３２と上下一対の第３搬送ローラ対３３とに送られるが、この製版中にはフリッパー３４が孔版原紙搬送路切替え機構５０（又は５７）により印刷ユニット６０側に向かう第１の搬送路に予め切替えられているので、製版済みの孔版原紙１１の前端部１１ａはフリッパー３４に案内されて印刷ユニット６０内で停止している版胴６３に向かい、版胴６３の外周面６３ａに取り付けられたクランプ板６４にクランプされる。
【００５４】
更に、この後、版胴用パルスモータ６１によって版胴６３を図示反時計方向に回転駆動させて、クランプ板６４にクランプされた製版済みの孔版原紙１１を版胴６３の外周面６３ａに巻き付けながら孔版原紙溜め箱３１内から製版済みの孔版原紙１１を全て引き出して製版済みの孔版原紙１１を緊張させると共に、製版ユニット１０内に設けた上下一対のカッター部材２８より印刷用紙Ｐに対応する１版分をカットして、製版済みの１版分の孔版原紙１１を版胴６３の外周面６３ａに巻き付けて着版させることで、製版動作が終了する。
【００５５】
次に、印刷動作を開始すると、版胴６３の外周面６３ａに巻き付けられた製版済みの孔版原紙１１に不図示の給紙ユニットから搬送された印刷用紙Ｐをプレスローラ６８により押し当てて印刷用紙Ｐを下流側に搬送しながら、版胴６３内に供給されたインク６７が製版済みの孔版原紙１１を通過することで、孔版原紙１１上の製版画像に基いて印刷用紙Ｐ上にインク画像を印刷している。
【００５６】
次に、孔版原紙１１を複数枚製版した後に、最後の１版を製版する動作と、最後の１版を製版した後に残った未製版の孔版原紙１１の残量を排版する動作について、図５及び図６を用いて説明する。
【００５７】
図５に示した如く、孔版原紙１１を複数枚製版すると、孔版原紙１１上で円環状ロール１２の近傍の後端部１１ｂ側に付与したエンドマーク１１ｅｍ（図２）が現れるので、後述するように、エンドマーク１１ｅｍ（図２）を検出して最後の１版の製版を続行して終了した後には、いつの時点でも図６に示した孔版原紙の残量排版動作を開始することができる。
【００５８】
即ち、図６において、孔版原紙１１の残量排版動作を開始すると、ステップＳ１では孔版原紙１１が製版中であるので、フリッパー３４は孔版原紙搬送路切替え機構５０（又は５７）により印刷ユニット６０側に向かう第１の搬送路に切替えられている。
【００５９】
次に、ステップＳ２において、制御部８０は、孔版原紙１１上で円環状ロール１２の近傍の後端部１１ｂ側に付与されたエンドマーク１１ｅｍが有るか否かを第１フォトセンサ（エンドマーク検出用センサ）２２からの検出結果により判断して、エンドマーク１１ｅｍがないと判断された場合（ＮＯの場合）にはステップＳ２に戻る。
【００６０】
一方、ステップＳ２でエンドマーク１１ｅｍが有ると判断された場合（ＹＥＳの場合）には、ステップＳ３で製版中の孔版原紙１１に対して製版を中断させずにそのまま続行して、図２（ｂ）に示したように最後の１版を製版する。これにより、帯状の孔版原紙１１を終了間際の後端部１１ｂ近傍まで有効に利用できる。このときに最後の１版の孔版原紙１１の前端部１１ａは印刷ユニット６０側に切替えられているフリッパー３４に案内されて版胴６３の外周面６３ａに取り付けられたクランプ板６４にクランプされている。
【００６１】
次に、ステップＳ４において、制御部８０は、エンドマーク１１ｅｍを検出して最後の１版の製版が終了した段階で、円環状ロール１２そのものの使用を禁止する使用禁止情報を円環状ロール１２の一方の端部に取り付けた孔版原紙用ＩＣタグ１３に書き込むと共に、円環状ロール１２そのものの使用禁止情報を不図示の操作パネルに表示してユーザーに警告する。これにより、ユーザーは、エンドマーク１１ｅｍを検出した後に円環状ロール１２そのものを使用できないことを知ることができる。
【００６２】
尚、この実施例では、円環状ロール１２そのものの使用禁止情報を孔版原紙１１への対応機種名などを記憶させた孔版原紙用ＩＣタグ１３に書き込んでいるが、これに限定されるものではなく、円環状ロール１２そのものの使用禁止情報を制御部８０のＲＡＭ８３内に書き込むことも可能であるが、円環状ロール１２そのものの使用禁止情報を書き込んだ後に不図示の電源が切断された場合を考慮すると、ＲＡＭ８３内に書き込むよりも孔版原紙用ＩＣタグ１３に書き込んだ方が消去されないので安全である。
【００６３】
次に、ステップＳ５では、最後の１版の製版が終了した段階でサーマルヘッド２６をプラテンローラ２５側に対して離間させ、且つ、上下一対のカッター部材２８により最後の１版を切断する。この後、最後の１版の孔版原紙１１を用いて印刷ユニット６０内で印刷用紙Ｐ上に印刷をすれば良い。
【００６４】
次に、ステップＳ６では、フリッパー３４を孔版原紙搬送路切替え機構５０（又は５７）により印刷ユニット６０側に向かう第１の搬送路から排版ユニット７０側に向かう第２の搬送路に切替える。
【００６５】
この際、フリッパー３４を排版ユニット７０側に切替えるタイミングは、最後の１版の製版が終了した段階であればいつの時点でも良く、図５に示した例は、最後の１版による印刷が終了して版胴６３に巻き付けられた最後の１版の孔版原紙１１を破棄した後に孔版原紙１１の残量を排版する状態を示しているが、これに限定されるものではなく、ここでの図示を省略するが、版胴６３に最後の１版の孔版原紙１１が巻き付けられている場合でも孔版原紙１１の残量を排版することが可能である。
【００６６】
次に、ステップＳ７では、図２（ｂ）に示した如く、孔版原紙１１に対して最後の１版を切断した後に、切断後の前端部１１ａ’を先頭にして最後の１版を製版した後に残った未製版の孔版原紙１１の残量を版胴６３の外周面６３ａに取り付けたクランプ板６４にクランプさせずに排版ユニット７０側に回動したフリッパー３４に沿わせながら排版用ローラ７２に導き、この孔版原紙１１の残量を排版ユニット７０の排版ボックス７１内に収納して排版する。
【００６７】
次に、ステップＳ８では、排版ボックス７１内で孔版原紙圧縮用レバー７４を時計方向に回動させて、この孔版原紙圧縮用レバー７４により排版ボックス７１内の孔版原紙１１を圧縮する。
【００６８】
次に、ステップＳ９では、排版ボックス７１内の孔版原紙１１が満タンであるか否かを問う。この際、満タン検出は、制御部８０内で計数した孔版原紙１１の製版回数や、孔版原紙圧縮用レバー７４を不図示のパルスモータを用いて回動させたときに満タン時の負荷によるパルス速度の変動などを参照して満タン検出を行っている。
【００６９】
そして、ステップＳ９で満タンであると検出された場合（ＹＥＳの場合）には、ステップＳ１０で不図示の操作パネルに排版ボックス満タン表示を行ってユーザーに警告する。これにより、ユーザーに対して排版ボックス７１内の孔版原紙１１の回収を促すことができる。
【００７０】
一方、ステップＳ９で満タンでないと検出された場合（ＮＯの場合）には、ステップＳ１１でフリッパー３４を孔版原紙搬送路切替え機構５０（又は５７）により印刷ユニット６０側に向かう第１の搬送路に戻す。
【００７１】
次に、ステップＳ１２では、孔版原紙１１の残量が排版されているので、不図示の操作パネルに円環状ロール１２の交換表示を行なってこのフローを終了する。
【００７２】
上記から、本発明に係る孔版印刷装置１では、帯状の孔版原紙１１が円環状ロール１２に巻回され且つ孔版原紙１１の終了近傍を示すエンドマーク１１ｅｍが予め所定位置に付与されたものを用い、製版ユニット１０内で円環状ロール１２から引き出した孔版原紙１１上に画像情報に基いてサーマルヘッド２６を用いて感熱穿孔により製版画像を製版する際に、制御部８０は、孔版原紙１１上に付与されたエンドマーク１１ｅｍを第１フォトセンサ（エンドマーク検出用センサ）２２で検出し、且つ、エンドマーク１１ｅｍを検出してもそのまま製版を続行して最後の１版を製版すると共に、製版中において最後の１版を製版した後に残った未製版の孔版原紙１１の残量を版胴６３の外周面６３ａに取り付けたクランプ板６４にクランプさせずに自動的に排版ボックス７１内に排版させているので、帯状の孔版原紙１１を終了間際の後端部１１ｂ近傍まで有効に利用でき、且つ、孔版原紙１１上に付与されたエンドマーク１１ｅｍを検出したときに製版途中の孔版原紙１１の製版を中断する必要がないので、孔版印刷装置１のスループットを向上させることができる。
【００７３】
また、孔版原紙１１上に付与されたエンドマーク１１ｅｍを検出したときに、製版中において最後の１版を製版した後に残った未製版の孔版原紙１１の残量を手動で排版することなく、未製版のまま不要となった孔版原紙１１の残量を自動的且つ迅速に排版できるので、手間がかからず使用勝手の良い孔版印刷装置１を提供することができる。
【符号の説明】
【００７４】
１…実施例の孔版印刷装置、
１０…製版ユニット、
１１…孔版原紙、１１ａ…前端部、１１ｂ…後端部、１１ｅｍ…エンドマーク、
１２…円環状ロール、１３…孔版原紙用ＩＣタグ、１５…マスターホルダー、
２１…ガイドシャフト、２２…エンドマーク検出用センサ（第１フォトセンサ）、
２４…プラテン用パルスモータ、２５…プラテンローラ、２６…サーマルヘッド、
２８…上下一対のカッター部材、２９…上下一対の第１搬送ローラ対、
３０…第２フォトセンサ、３１…孔版原紙溜め箱、３４…フリッパー、
４３…ヘッドカバー、４４…サーマルヘッド押圧機構、
５０，５７…孔版原紙搬送路切替え機構、
６０…印刷ユニット、
６１…版胴用パルスモータ、６３…版胴、６３ａ…外周面、６４…クランプ板、
６７…インク、６８…プレスローラ、６９…プレスローラ押圧機構、
７０…排版ユニット、
７１…排版ボックス、７２…排版用ローラ、７４…孔版原紙圧縮用レバー、
８０…制御部、８１…ＣＰＵ、８２…ＲＯＭ、８３…ＲＡＭ、
Ｐ…印刷用紙。
【図１】
2012116106.tif 000003
【図２】
2012116106.tif 000004
【図３】
2012116106.tif 000005
【図４】
2012116106.tif 000006
【図５】
2012116106.tif 000007
【図６】
2012116106.tif 000008